(57)【要約】      （修正有）【課題】マイカヒータの発熱体と金属製押さえ板との密着を十分なものとし、前面にわたって均一に放熱するマイカヒータを提供する。【解決手段】電熱線２を巻き付けた発熱体３の両側面を絶縁用の外側マイカ板４、４間で挟み込み、この外側マイカ板４の外側面に金属製押さえ板５を順次積層配設したマイカヒータに於いて、上記積層した発熱体３、外側マイカ板４、４及び金属製押さえ板５の各中央にそれぞれ合致する透孔３ａ、４ａ、４ａ及び切取孔５ａを設けると共に金属製押さえ板５の切取孔５ａの周りに複数の折返し片５ｂ、５ｂを配設し、この各折返し片５ｂを切取孔５ａ内より折り曲げて発熱体３、外側マイカ板４、４の透孔３ａ、４ａ、４ａを通り最下端の外側マイカ板４の透孔４ａ周りで固定する構成する。【選択図】図１
0003145360.tif 000002
【実用新案登録請求の範囲】
【請求項１】
電熱線（２）を巻き付けた発熱体（３）の両側面を絶縁用の外側マイカ板（４）、（４）間で挟み込み、この外側マイカ板（４）の外側面に金属製押さえ板（５）を順次積層配設したマイカヒータ（１）に於いて、上記積層した発熱体（３）、外側マイカ板（４）、（４）及び金属製押さえ板（５）の各中央にそれぞれ合致する透孔（３ａ）、（４ａ）、（４ａ）及び切取孔（５ａ）を設けると共に金属製押さえ板（５）の切取孔（５ａ）の周りに複数の折返し片（５ｂ）、（５ｂ）を配設し、この各折返し片（５ｂ）を切取孔（５ａ）内より折り曲げて発熱体（３）、外側マイカ板（４）、（４）の透孔（３ａ）、（４ａ）、（４ａ）を通り最下端の外側マイカ板（４）の透孔（４ａ）周りで固定することを特徴としたマイカヒータ。
【考案の詳細な説明】
【技術分野】
【０００１】
本考案は、加熱機器用のマイカヒータに関するものである。
【背景技術】
【０００２】
従来、加熱機器用のマイカヒータとして発熱体の両側面にそれぞれ絶縁用の外側マイカ板を配設し、この外側マイカ板の外側に金属板を配設したマイカヒータの積層体が実開平６−５８５９３号公報（特許文献１  図２参照）として存在する。
【０００３】
【特許文献１】実開平６−５８５９３号公報(図２参照)
【考案の開示】
【考案が解決しようとする課題】
【０００４】
以下、特許文献１の図２により従来のマイカヒータについて説明する。
この特許文献１のマイカヒータは、発熱源である発熱体１を外側マイカ板２，２間で挟み着け、この外側マイカ板２の上層に金属箔層３を順次配設して積層体としている。
【０００５】
ところが、このような従来のマイカヒータでは、この積層体としたマイカヒータをスポット溶接又はハトメして積層体を固定していたが、発熱体の中央部に熱が集中しこの中央部および全周で発熱体と金属箔層との密着度が悪くなって、正常な放熱ができなくなるという問題点があった。
【課題を解決するための手段】
【０００６】
本考案は、電熱線２を巻き付けた発熱体３の両側面を絶縁用の外側マイカ板４、４間で挟み込み、この外側マイカ板４の外側面に金属製押さえ板５を順次積層配設したマイカヒータ１に於いて、上記積層した発熱体３、外側マイカ板４、４及び金属製押さえ板５の各中央にそれぞれ合致する透孔３ａ、４ａ、４ａ及び切取孔５ａを設けると共に金属製押さえ板５の切取孔５ａの周りに複数の折返し片５ｂ、５ｂを配設し、この各折返し片５ｂを切取孔５ａ内より折り曲げて発熱体３、外側マイカ板４、４の透孔３ａ、４ａ、４ａを通り最下端の外側マイカ板４の透孔４ａ周りで固定する構成としている。
【考案の効果】
【０００７】
本考案は、従来の問題点を解決したものであって、マイカヒータの発熱体と金属製押さえ板との密着を十分なものとし、前面にわたって均一に放熱することができるマイカヒータを提供するにある。
【考案を実施するための最良の形態】
【０００８】
マイカヒータ１は、図１に示すように、電熱線２を巻き付けた発熱体３を設け、この発熱体３の上下両側をそれぞれ絶縁性の外側マイカ板４、４で挟み着け、一方の外側マイカ板４上側より金属製押さえ板５を配設した積層体としている。この積層体の四隅は、ハトメにて固定している。
【０００９】
発熱体３は、図１に示すように、一つの薄いマイカ板に上下又は左右に電熱線２を巻き付け、中央に透孔３ａを設けている。この発熱体３は、片辺のマイカ板を左右組み合わせて一つのマイカ板とすることも可能である。この組み合わされた一つのマイカ板にも中央に透孔３ａを設けている。この発熱体３の四隅には、ハトメ用の小孔３ｂ、３ｂを設けている。
【００１０】
二つの絶縁性の外側マイカ板４、４は、薄板であって、図１に示すように、同一の大きさ、同一の形状であり、発熱体３の外形状とも同一であって、中央付近に発熱体３の透孔３ａと合致する透孔４ａをそれぞれ穿設し、四隅にハトメ用の小孔３ｂ、３ｂを設けている。
【００１１】
金属製押さえ板５は、ステンレス等の金属製薄板材料にて、図１に示すように、外側マイカ板４と同じ大きさ、同じ形状であって、中央に複数の折返し片５ｂ、５ｂを残して切取孔５ａを穿設している。この切取孔５ａは、外側マイカ板４の透孔４ａとほぼ同じ大きさに形成し、四隅にハトメ用の小孔５ｃ、５ｃを設けている。
【００１２】
金属製押さえ板５の折返し片５ｂは、切取孔５ａの周りに複数配設され、図４に示すように、それぞれ発熱体３、二つの外側マイカ板４、４が重ね合わされた状態で切取孔５ａ内側から折り曲げて、最下端の外側マイカ板４の透孔４ａを形成する周壁下側に折り曲げられ固定される長さに形成されている。この折返し片５ｂは、切取孔５ａの抜き加工と同時に形成されている。この折返し片５ｂは、切取溝、切取孔５ａの周りに一個以上であれば何個であってもよい。
【００１３】
このマイカヒータ１は、発熱体３の上下両側を外側マイカ板４、４にて挟み込んだ後、一つの外側マイカ板４の外側に金属製押さえ板５を重ねて後、四隅をハトメして固定し、図２及び図３に示すように、四つの外周をアルミ箔のテープ６にて張設して固定している。
更に、両リード出口部中央には、ガラステープを張設して外周共にヒータ内部に外部からのホコリ、塵埃の侵入を防ぐ施しをする。
【００１４】
更に、金属製押さえ板５の各折返し片５ｂは、図４に示すように、それぞれ切取孔５ａ内側より折り曲げられて後、最下端の外側マイカ板４の透孔４ａを形成する周壁下側にそれぞれ折り曲げられ固定される。又、中央部に切取溝、切取孔５ａが有無の場合でも中央部に限らずスポット溶接を施すことも可能である。
【００１５】
このマイカヒータ１は、積層された発熱体３、二つの外側マイカ板４、４及び金属製押さえ板５の形状を共に四角形状としているが、特にこの四角形状に限定されるものではなく、円形状であっても、三角形状等であっても何ら支障をきたすものではない。
【００１６】
又、このマイカヒータ１の発熱体３の透孔３ａ、二つの外側マイカ板４、４の各透孔４ａ、４ａ、及び金属製押さえ板５の切取孔５ａは、共に円形状に形成しているが、積層された発熱体３の透孔３ａ、二つの外側マイカ板４、４の各透孔４ａ、４ａ及び金属製押さえ板５の切取孔を特にこの円形状に限定するものではなく、四辺形状であっても、又三角形状であっても何ら支障をきたすものではない。
【００１７】
このようにマイカヒータで熱の集中する中央部に透孔を設けて熱を均一に分散させ、しかも折返し片にて透孔周りを固定することができるので、発熱体と金属製押さえ板との密着度を十分なものとし、放熱効果を最大限得られる。
【００１８】
以上本考案の代表的と思われる実施例について説明したが、本考案は必ずしもこれら実施例構造のみに限定されるものではなく、本考案にいう前記の構成要件を備え、かつ、本考案にいう目的を達成し、本考案にいう効果を有する範囲内において適宜改変して実施することができるものである。
【図面の簡単な説明】
【００１９】
【図１】本考案実施例の分解斜視図。
【図２】本考案実施例の平面図
【図３】図２のＡ−Ａ縦断面図。
【図４】図３のＢ部拡大図。
【符号の説明】
【００２０】
１…マイカヒータ
２…電熱線
３…発熱体
３ａ…透孔
３ｂ、３ｂ…小孔
４…外側マイカ板
４ａ…透孔
４ｂ、４ｂ…小孔
５…金属製押さえ板
５ａ…切取孔
５ｂ、５ｂ…折返し片
５ｃ、５ｃ…小孔
６…テープ
【図１】
0003145360.tif 000003
【図２】
0003145360.tif 000004
【図３】
0003145360.tif 000005
【図４】
0003145360.tif 000006